(57)【要約】【課題】理想的な温度値を維持することができ、シート表面の湾曲がより便利で、圧力を受けても変形せず、冷暖液体がスムーズに流れる冷暖シートを提供する。【解決手段】シート１０と、複数本のチューブ１２と、カバー３３とを備え、複数本のチューブ１２は、狭長なチューブ１２がシート１０の表面１１に湾曲迂回してなり、前記チューブ１２の一端は入口端１２１であって他端は出口端１２２であり、前記入口端１２１と前記出口端１２２とは同じくシート１０の一端に位置し、チューブ１２の外縁は円弧状１２３に現れ、前記チューブ１２の外縁とシート１０の表面１１とが互いに設けられる面は平面１２４に現れ、前記チューブ１２の内縁の前記平面１２４に対応する面にはリブ１２５が設けられ、カバー３３は、シート１０のチューブ１２が設けられる表面に設けられて平らな面に形成される。【選択図】図１
0003118646.tif 000002
【実用新案登録請求の範囲】
【請求項１】
シートと、複数本のチューブと、カバーとを備え、
複数本のチューブは、狭長なチューブがシートの表面に湾曲迂回してなり、前記チューブの一端は入口端であって他端は出口端であり、前記入口端と前記出口端とは同じくシートの一端に位置し、チューブの外縁は円弧状に現れ、前記チューブの外縁とシートの表面とが互いに設けられる面は平面に現れ、前記チューブの内縁の前記平面に対応する面にはリブが設けられ、
カバーは、シートのチューブが設けられる表面に設けられて平らな面に形成されることを特徴とする冷暖シートの構造。
【請求項２】
入口継手は、チューブの入口端に取り付けられ、前記入口継手の一端の外径は入口端の内径より小さく、かつ外径には平面及び凹溝があり、平面及び凹溝はチューブの平面及びリブと対応して嵌め付け可能であり、前記入口継手の他端は円形のチューブであって冷暖液体の流れ込みに用いられ、
出口継手は、チューブの出口端に取り付けられ、前記出口継手の一端の外径は出口端の内径より小さく、かつ外径には平面及び凹溝があり、平面及び凹溝はチューブの平面及びリブと対応して嵌め付け可能であり、前記出口継手の他端は円形のチューブであって冷暖液体の流れ出しに用いられることを特徴とする請求項１に記載の冷暖シートの構造。
【請求項３】
前記カバーは、スポンジであることを特徴とする請求項１に記載の冷暖シートの構造。
【請求項４】
前記シートのチューブが設けられた面とは別の表面には図案が印刷されることを特徴とする請求項１に記載の冷暖シートの構造。
【考案の詳細な説明】
【技術分野】
【０００１】
本考案は冷暖シートの構造に関するもので、特にシートの表面に湾曲迂回してなる複数本のＵ形チューブが設けられ、それらチューブは外縁の円弧設計を通じて湾曲をより便利にする外、そのチューブの内縁にはリブが設けられてチューブが圧力を受けた場合はリブの阻止によって変形することなく、液体（例えば水）はそれらチューブに於いてスムーズに流れることが保持され、シート表面の冷暖温度を均一に分布させることができる。
【背景技術】
【０００２】
本考案の考案者は２００３年１１月１３日に中華民国に於いて「冷暖機能のあるシート構造」の新型特許の請求を提出しており、その特許登録証の番号はＭ２４３１１９で、特許の技術的内容は次のものを含む。
シート、そのシートには複数本の互いに連接する湾曲した通路があり、そのシートの一側辺上端には通路と連通する一対の第一連接管と第二連接管が設けられ、そのシートの別の側辺下端には通路と連通する第三連接管が設けられ、更に、シートの上端にはシートを横に跨る別の通路が設けられ、その別の通路の一端は第一連接管と連通し、それの他端には第四連接管が設けられる。そのシートを使用する場合、プラグによって第一連接管と第四連接管を閉鎖し、並びに冷暖装置中の液体（例えば水）を第二連接管から通路中に送り込み、冷却または加熱した後、更に第三連接管よりその冷暖装置へ流れ戻し、その冷暖装置によって液体を冷却または加熱した後、再びシート内に送り込み、このように絶えず循環することによってシートの表面を理想的な温度に維持することができる。すなわち、使用者がそのシートを使うと暑いまたは冷たいという感じがなくなる。その「冷暖機能のあるシート構造」は実際の使用に於いても多くの消費者から好評を得ている。
【０００３】
ところが、ますます競争の激しい市場環境に於いて、絶えず研究開発を行って特色のある新製品を送り出し、製品の機能及び効果をより完璧にすることはメーカの勝利への道程であり、前述シートは上部部材及び下部部材の上または下を封じて構成され、かつ通路は直接下部部材と一体成型されて断面はＵ形に現れる。
その通路が直接下部部材と一体成型されて断面はＵ形に現れるので、通路は湾曲の過程に於いて不便になり、また、その通路が圧力を受けた場合は構造の関係によって変形しやすく、内部で流れる液体は阻止されて流れにくくなり、甚だしくシート表面の冷暖温度が均一に分布しないよう影響し、もちろん冷暖シートの機能効果も減点される。そのために、本考案の考案者は引き続き従来のものと違う冷暖シートの通路構造を設計し、それによって通路が構造の関係によって発生する欠点を解決し、そうすれば冷暖シートの商品価値は大幅に増え、それと同時に多くの使用者により完璧な冷暖シートの製品を提供することができる。
【考案の開示】
【考案が解決しようとする課題】
【０００４】
上述従来技術の深入りな紹介を鑑み、市場と使用者の製品に対する要求がますます高くなることに基づき、本考案の考案者は冷暖シートの製造の経験と技術の累計を生かし、不断な研究、実験、及び改良を経た後、遂に本考案の「冷暖シートの構造」を設計し、従来の冷暖シートの通路構造に発生する欠点を改善することができた。
本考案の目的はその冷暖シートを使用する使用者に理想的で心地よい温度値を維持することができ、それと同時にそのシート表面のチューブの構造設計を通じてシート表面の湾曲がより便利になり、かつ圧力を受けても変形せず、冷暖液体がそれらチューブに於いてスムーズに流れる冷暖シートの提供である。それの技術手段はそのシートの表面に狭長なチューブが湾曲迂回して複数本のチューブになり、そのチューブの一端は入口端であって他端は出口端であり、その入口端と出口端は同じくシートの一端に位置し、チューブの外縁は円弧状に現れ、そのチューブの外縁とシートの表面が互いに設けられる面は平面に現れ、そのチューブ内縁の平面に対応する面にはリブが設けられ、シートのチューブが設けられる表面にはカバーが設けられて平らな面に形成される。また、そのチューブ入口端と出口端にはそれぞれ入口継手と出口継手が取り付けられ、冷暖液体（例えば水）はその入口継手から入口端に流れてシートの表面に進入し、最後は出口端、出口継手を経て流れ出し、冷暖装置の中に流れ戻り、その冷暖装置によって冷却または加熱した後、再びシート内に送り込み、このように絶えなく循環すると冷暖シートの使用者は均一に分布された冷暖温度を感知することができる。
【０００５】
本考案のもう一つの目的は前述のシート構造と特徴が同じ別のシートを対応して接続し、その二者のチューブの入口端及び出口端はそれぞれＴ型入口継手とＴ型出口継手によって一緒に接続され、こうすればそれの使用面積を増やすことができ、冷暖温度を均一にシートの表面に分布させることができる。
【課題を解決するための手段】
【０００６】
上記目的を達成するため、本考案に係る冷暖シートの構造は、シートと、複数本のチューブと、カバーとを備え、複数本のチューブは、狭長なチューブがシートの表面に湾曲迂回してなり、前記チューブの一端は入口端であって他端は出口端であり、前記入口端と前記出口端とは同じくシートの一端に位置し、チューブの外縁は円弧状に現れ、前記チューブの外縁とシートの表面とが互いに設けられる面は平面に現れ、前記チューブの内縁の前記平面に対応する面にはリブが設けられ、カバーは、シートのチューブが設けられる表面に設けられて平らな面に形成される。
【考案を実施するための最良の形態】
【０００７】
本考案の目的、形状、構造、装置特徴及び効能等について、ここに実施例を取り上げ、図面と合わせて次の如く詳しく説明する。
本考案の一実施例は、「冷暖シートの構造」に関するもので、図１及び図２に示すように、それの作用はその冷暖シート１０を使用している使用者に理想的で心地よい温度値が保持できるようにし、その構造にはシート１０が含まれ、そのシート１０の表面１１に狭長なチューブが湾曲迂回して複数本のＵ字状のチューブ１２になり（図２参照）、そのチューブ１２の一端は入口端１２１であって他端は出口端１２２であり、その入口端１２１と出口端１２２は同じくシート１０の一端に位置し、かつチューブ１２の外縁は円弧状１２３の設計に現れ、そのチューブ１２の外縁とシート１０の表面１１が互いに設けられる面は平面１２４に現れる。
【０００８】
この外、チューブ１２内縁の平面１２４に対応する面にはリブ１２５が設けられ、チューブ１２の円弧状１２３の設計によってそれがシート１０の表面１１に於いて湾曲迂回する場合はより便利になり、それと同時に、チューブ１２の平面１２４の設計によってそれとシート１０の表面１１の接触面積が大きくなる。また、チューブ１２の内縁のリブ１２５の設計によってチューブ１２が圧力を受けた場合、それはリブ１２５の阻止によって変形することなく、内部の通路を塞ぐことが避けられる。
【０００９】
再び図１及び図２に示すように、シート１０のチューブ１２の入口端１２１と出口端１２２にはそれぞれ入口継手２０と出口継手３０が取り付けられ、その入口継手２０及び出口継手３０の構造特徴は完全に同じであり（図１参照）、それの一端の外径は入口端１２１及び出口端１２２の内径より小さく、かつ外径には平面２１、３１及び凹溝２１１、３１１があり、その平面２１、３１及び凹溝２１１、３１１はちょうどチューブ１２の平面１２４及びリブ１２５と対応して嵌め付けることができる。また、その入口継手２０及び出口継手３０の他端は円形のチューブ２２、３２で、冷暖液体（例えば水）の流れ込み、流れ出しに用いられる。
【００１０】
この外、シート１０のチューブ１２が設けられる表面１１にはカバー３３（例えばスポンジ）が設けられ、そのカバー３３の設置によってチューブ１２が覆い被されて平面に形成される外、シート１０は更に柔らかくなり弾性を持つようになる。
また、シート１０のチューブ１２が設けられていない別の表面１３には図案が印刷（または手描き）され（図面には示されていない）、それによってシート１０の視覚感受や消費者の購買意欲を増やす。
【００１１】
上述の部材により、そのシート１０を使った場合、前述の冷暖液体はその入口継手２０、入口端１２１からチューブ１２内に流れ込み、かつシート１０全体の表面１１を湾曲迂回した後、再びチューブ１２の出口端１２２、出口継手３０から流れ出して冷暖装置（図面には示されていない）に戻り、冷暖液体は冷却または加熱された後、再びシート１０のチューブ１２内に送り込まれ、このように絶えず冷暖の交換循環を行うことにより、シート１０を使う使用者はシート１０の表面１１の冷暖温度の均一分布によって暑くまたは冷たく感じなくなる。
【００１２】
また、図３に示すように、本考案の他の実施例は前述の図２中のシート１０と別のシート１０’を対応して接続し、その別のシート１０’の構造特徴はシート１０と同じく、その別のシート１０’の表面１１’には狭長な湾曲迂回してなる複数本のＵ形状チューブ１２’が設けられ、そのチューブ１２’の一端は入口端１２１’であって他端は出口端１２２’であり、その入口端１２１’と出口端１２２’とは同じく別のシート１０’の一端に位置している。
【００１３】
シート１０の入口端１２１及び出口端１２２と別のシート１０’の入口端１２１’及び出口端１２２’とが対応して接続された場合、図３及び図４に示すように、それはそれぞれＴ型入口継手２０’及びＴ型出口継手３０’によって、チューブ１２の入口端１２１及びチューブ１２’の入口端１２１’と、チューブ１２の出口端１２２及びチューブ１２’の出口端１２２’に取り付けられ、そのＴ型入口継手２０’及びＴ型出口継手３０’の構造特徴は完全に同じで、その両端の外径は入口端１２１、１２１’、出口端１２２、１２２’の内径より小さく、かつ外径には平面２１’、３１’及び凹溝２１１’、３１１’があり、その平面２１’、３１’及び凹溝２１１’、３１１’はちょうどチューブ１２の平面１２４及びリブ１２５と、チューブ１２’の平面１２４’及びリブ１２５’と対応して嵌め付けることができる。また、そのＴ型入口継手２０’及びＴ型出口継手３０’の直交端は円形チューブ２２’、３２’である。
【００１４】
これにより、前述冷暖液体はそのＴ型入口継手２０’の直交端円形チューブ２２’から、それの両端を経てそれぞれシート１０と別のシート１０’のチューブ１２、１２’に流れ込み、最後はそのチューブ１２、１２’の出口端１２２、１２２’からＴ型出口継手３０’の両端及び直交端円形チューブ３２’から流れ出して前述冷暖装置へ流れ戻り、その冷暖液体は冷却または加熱された後、再びシート１０と別のシート１０’のチューブ１２、１２’内に送り込まれ、このように絶えず連続して冷暖の交換循環が行われる。
【００１５】
上述により、本考案の他の実施例の構造は簡単であるため、そのシート１０と別のシート１０’のチューブ１２、１２’の構造設計は湾曲に於いてより便利になる外、チューブ１２、１２’が圧力を受けて変形し、その中の液体が妨げられて流れにくくなり、シート１０と別のシート１０’の表面１１、１１’の冷暖温度に不均一分布の状況が発生しなくなる。
以上に述べたのは本考案の最適具体実施例だけであり、本考案の構造特徴はそれに局限されなく、いかなるこの技術を熟知するものが本考案の領域内に於いて簡単に思い及べる変化または改修は、すべて本案の実用新案登録請求の範囲内に含まれるべきである。
【図面の簡単な説明】
【００１６】
【図１】本考案の一実施例による冷暖シートの局部立体分解図である。
【図２】本考案の一実施例による冷暖シートの模式図である。
【図３】本考案の他の実施例による冷暖シートの二枚のシートを接続した状態の模式図である。
【図４】本考案の他の実施例による冷暖シートの局部立体分解図である。
【符号の説明】
【００１７】
１０  シート、１１、１１’  表面、１２、１２’  チューブ、１２１、１２１’  入口端、１２２、１２２’  出口端、１２３  円弧状、１２５、１２５’  リブ、２０  入口継手、３０  出口継手、３３  カバー、１３  別の表面、１０’  別のシート、２０’  Ｔ型入口継手、３０’  Ｔ型出口継手、１２４、２１、３１、２１’、３１’、１２４’  平面、２１１、３１１、２１１’、３１１’  凹溝、２２、３２、２２’、３２’  円形チューブ
【図１】
0003118646.tif 000003
【図２】
0003118646.tif 000004
【図３】
0003118646.tif 000005
【図４】
0003118646.tif 000006